(57)【要約】      （修正有）【課題】防塵、防菌、防虫を目的として空調機の吸排気口に取り付けるネットフィルターの交換及びメンテナンスを容易にし、かつ確実に取り付けることが可能なネットフィルターを提供する。【解決手段】空調機の吸気口または排気口を覆うネットフィルター本体１と、ネットフィルター本体の端部に形成されたメッシュ袋２、３と、メッシュ袋に収納され、磁力をもってネットフィルター本体を吸気口または排気口の所定位置に固定させるマグネットとを有する。マグネットの磁力は７０ｍＴ以上１００ｍＴ以下である。【選択図】図１
0003221683.tif 000002
【実用新案登録請求の範囲】
【請求項１】
空調機の吸気口または排気口を覆うネットフィルター本体と、上記ネットフィルター本体の端部に形成されたメッシュ袋と、上記メッシュ袋に収納され、上記吸気口または排気口近傍に磁力をもって付着されることにより、上記ネットフィルター本体を上記吸気口または排気口の所定位置に固定させるマグネットを有することを特徴とする空調機吸排気口ネットフィルター。
【請求項２】
請求項１において、上記マグネットの磁力は７０ｍＴ以上１００ｍＴ以下である空調機吸排気口ネットフィルター。
【請求項３】
請求項１または請求項２において、上記マグネットは平板状であり、その幅は３ｃｍ以上である空調機吸排気口ネットフィルター。
【請求項４】
ネットフィルター本体と、上記ネットフィルター端部に形成され、内部にマグネットが収納されることにより、その磁力で上記ネットフィルター本体を所定位置に固定するメッシュ袋を有することを特徴とする空調機吸排気口ネットフィルター。
【請求項５】
請求項１ないし請求項４のいずれかにおいて上記メッシュ袋は一端が縫い止めされており、他端にメッシュ袋の内部に向かう折返し部が形成されてなる空調機吸排気口ネットフィルター。
【考案の詳細な説明】
【技術分野】
【０００１】  本考案は防塵、防菌、防虫を目的として空調機の吸排気口に取り付けるネットフィルターの改良に関するものである。
【背景技術】
【０００２】  近年、食の安全、安心が厳しくなっている中、主に食品工場などは対策の１つとしてネットフィルターやソックダクトを空調機の吸排気口に使用する事により塵、菌、虫の侵入を防止している。食品工場やその他の工場で現在使用されているネットフィルターの取り付け方法は、主にマジックテープ、ゴム、ヒモなどを使用したものである。【０００３】  また、特開２００３−１０２９９号公報（特許文献１）には、エアコン用外付け脱臭フィルターを取り付けるにあたり、フィルター枠全面に幅２ｃｍの取り付け用マグネットシートを施すことが開示されている。
【先行技術文献】
【特許文献】
【０００４】
【特許文献１】特開２００３−１０２９９号公報
【考案の概要】
【考案が解決しようとする課題】
【０００５】  工場の生産ラインの中には熱風が吹出している空調機、粉の多い部屋、湿度が高い部屋、バターやクリームや油などを多く使用する部屋、室外の風雨にさらされる空調機など、マジックテープが剥がれ易い箇所があった。マジックテープが剥がれてしまうと隙間から塵、菌、虫などが侵入する危険性があり、ヒモを併用する事により対処していた。【０００６】  また、特許文献１に記載されているようなマグネットシートを用いる場合は、一般に市販されている平面タイプ磁石（ゴム磁石）は磁力が６０ｍＴ以下と弱く、取り付けた際に空調機の吹き出し口からの風により、ネットフィルターが飛ばされ落下する危険性があった。特許文献１にはマグネットシートの取り付け方や磁力についての記載は見当たらない。
【課題を解決するための手段】
【０００７】  本考案者は上記の課題を解決する為に鋭意検討した結果、ネットフィルターにおいて、ネットフィルターから取り外し可能な平面タイプのマグネットであって磁力７０ｍＴ以上〜１００ｍＴ以下のものを、一方が開口され他方に落下防止対策を有したメッシュ袋に収納し、このメッシュ袋をネットフィルター端部に縫い付ける等して、マグネットの磁力によってネットフィルターを空調機の吸排気口に取り付ける構成を採用するに至った。【０００８】  メッシュ袋の素材としては、８０メッシュ以上の長繊維で３０番手〜５０番手のテトロン糸の生地を採用することで、耐久性に優れ、繰り返し使用しても破損しづらいものとなる。【０００９】  マグネットとしては、平面タイプであって幅３０ｍｍ以上、磁力は７０ｍＴ以上〜１００ｍＴ以下を使用するのが望ましい。７０ｍＴ以上の磁力により空調機吹き出し口の風力にも耐えられるものとなる。１００ｍＴ以下の磁力により容易に交換作業が出来るよう配慮した。
【考案の効果】
【００１０】  今までマジックテープ、ゴム、ヒモでの取り付けが困難な空調機やダクトの吸排気口に本考案に係るマグネットを用いた取り付け構成を採用することにより、ネットフィルターの交換及びメンテナンスが容易になる。マグネットを繰り返し使用可能なので経済的にも有利であり、マジックテープタイプと比べゴミの排出量が低減され環境に優しいのが利点である。【００１１】  本考案のネットフィルターは、空調機側にフィルター枠が無い場合でも空調機の吸排気口にマグネットが付く材質であればどの様な形状であっても取り付けることが可能である。
【図面の簡単な説明】
【００１２】
【図１】本考案のネットフィルターを吹き出し口に適用した場合を示す図である。
【図２】本考案のネットフィルターを吸い込み口に適用した場合を示す図である。
【図３】本考案のネットフィルターのマグネットを収納するメッシュ袋を示す図である。
【考案を実施するための形態】
【００１３】  図１において、ネットフィルター本体１の形状はバスケット状のものであり、バスケットの深さ部分４を有し、主に空調機やダクトの吹き出し口に取り付ける場合が多い。メッシュ袋２，３は内部にマグネットが収納されており、自由に動くとともにマグネットも柔らかいので、マグネットが付く材質であればどの様な形状の吹出しにも対応可能である。また、交換作業の際もバスケット状なので塵、埃、虫等を落下させずに処理できる。
【００１４】  図２において、ネットフィルター本体１は平面状であり主に吸気口に使用する場合が多い。このタイプでは塵、埃、虫等の侵入を防ぐ為、吸気口よりネットフィルター本体１を大きく作ることが好ましい。また、吸排気口が周囲の平面から凸出して形成される場合がある。このような場合、マグネットの取付方法としては、上記周囲の平面とすることもできるが、吸排気の風力に抗してエアフィルターが剥がれにくくするため、マグネットの取付位置を上記凸出部の側面とすることが効果的である。吸気口は空気の吸い込み量が多く、図１に示すようなバスケット状だとゴミ等が詰まると吸い込まれる可能性がある。従来はマジックテープとヒモで対応した商品が多いが、マジックテープが剥がれやすく空間が空いてしまった場合塵、埃、虫等が侵入してしまう可能性があった。本考案のマグネットを用いた構成とした場合は隙間無く空調機に取り付けることが出来る為、異物混入対策の効果が向上し、交換作業、メンテナンスが容易である。また平面状の場合材料費が安くなり作り易い。
【００１５】  図３に、マグネット用メッシュ袋２，３の詳細を示す。メッシュ袋は長繊維の糸を使用しているため糸くずが出づらい素材であり、尚且つ耐久性に優れているためマグネットを繰り返し出し入れしても破損しにくいという効果がある。メッシュ袋は、用いるマグネットの幅のほぼ２倍の幅を有する生地を折り返した状態でエアフィルター本体端部に縫着することにより袋状に形成される。その一方の端部７は縫い止めとし、他方の端部は袋状部内部への折返し部６が形成されるように筒状縫製部５において開口を有するように縫着される。折返し部６の長さとしては２〜３ｃｍ程度が望ましい。このように形成されたメッシュ袋にマグネットを挿入する。ここで、上記の折返し部がマグネット端部を覆うようにマグネットを挿入することにより、メッシュ袋からマグネットが脱落することを防止できる。
【符号の説明】
【００１６】１  ネットフィルター本体
２  メッシュ袋
３  メッシュ袋
４  バスケットの深さ部分
５  メッシュ袋の筒状縫製部
６  メッシュ袋の折返し部
７  メッシュ袋の縫い止め端部
【図１】
0003221683.tif 000003
【図２】
0003221683.tif 000004
【図３】
0003221683.tif 000005